【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
底部壁、少なくとも１つの側壁、および底部壁より上にありかつ底部壁に隣接している支持ベースを有し、粉末状の石膏を受容かつ処理する構造を有する筐体；
石膏製品へ流体を導入し、流体が底部壁の付近から頂部壁へ向かって移動する流動化装置；
筐体の断面と同様な形状の断面を有し、第１の位置と第２の位置との間の往復運動のために筐体に枢着された攪拌機枠；
操作されて流動化石膏製品が筐体の底部壁に隣接する支持ベースに沿って集まるのを防ぐ攪拌装置；
電気モーターおよび動力作動空気シリンダーの１つからなる、攪拌機枠を作動する動力源；および
モーターと攪拌機枠とを接続する偏心カム
からなることを特徴とする攪拌装置を備えた石膏処理装置。
【請求項２】
攪拌装置が、攪拌機枠が作動するとき、支持ベースに隣接して石膏製品を攪拌するための攪拌機枠に接続した複数の攪拌部材を含む請求項１の装置。
【請求項３】
攪拌装置が、攪拌機枠を装置へ枢着するための少なくとも１つの枢動可能な支持アームを含む請求項１又は２の装置。
【請求項４】
攪拌装置が、
攪拌機枠へ固定されたブラケット、および
電気モーターにより回転駆動され偏心カムを支持する剛性棒
をさらに含む請求項１〜３のいずれか１項の装置。
【請求項５】
底部壁および少なくとも１つの側壁を有し、石膏製品を受容し処理する構造を有する筐体；
流体を石膏製品へ導入し、流体が底部壁付近から頂部壁に向かって移動する流動化装置；
第１の位置と第２の位置との間の往復運動のために筐体に枢着された攪拌機枠；
流体のチャネリングおよび流動化されない石膏のデッドポケットを防ぎ石膏製品が筐体の底部壁に隣接して集まるのを防ぐ操作が可能な攪拌装置；
攪拌機枠を装置へ枢着し、１つの端で筐体に枢着し他の端で枠へ枢着し、攪拌機枠は、作動するときピボット軸の周りに揺動する操作が可能である少なくとも１つの枢動する支持アーム；
攪拌機枠を動かし、電気モーターおよび空気圧アクチュエーターの１つからなる動力源；および
モーターと攪拌機枠との間を接続する偏心カム
からなることを特徴とする攪拌機を備えた流動化石膏処理装置。
【請求項６】
攪拌装置が、攪拌機枠が作動するとき、底部壁に隣接して石膏製品を攪拌するための攪拌機枠へ接続された複数の攪拌部材を含む請求項５の装置。
【請求項７】
攪拌部材が横材からなる請求項５又は６の装置。
【請求項８】
攪拌装置が、
攪拌機枠へ固定されたブラケット；および
電気モーターにより回転駆動され、偏心カムを支持する剛性棒
をさらに含む請求項５〜７のいずれか１項の装置。
【請求項９】
石膏材料を処理するための底部壁を有する筐体を用意する段階、
材料を供給源から装置へ移す段階、
材料を通して流体を流すことにより材料を流動化する段階、
筐体の断面とほぼ同様な形状の断面を有ししかも底部壁に隣接して第１の位置と第２の位置との間に往復運動できる攪拌装置により流動化材料を攪拌する段階、
モーターからなる動力源を用意して攪拌装置を作動する段階、および
偏心カムを用意してモーターおよび攪拌装置を接続する段階
からなることを特徴とする石膏材料を攪拌する方法。
【請求項１０】
材料が筐体の底部壁に沿って凝固することを防ぐことをさらに含む請求項９の方法。
【手続補正２】
【補正対象書類名】明細書
【補正対象項目名】００３３
【補正方法】変更
【補正の内容】
【００３３】
以下に、本発明とその好ましい態様をまとめて説明する。
１．底部壁、少なくとも１つの側壁、および底部壁より上にありかつ底部壁に隣接している支持ベースを有し、粉末状の石膏を受容かつ処理する構造を有する筐体；
石膏に基づく製品へ流体を導入し、流体が底部壁の付近から頂部壁へ向かって移動する流動化装置；
筐体の断面と同様な形状の断面を有し、第１の位置と第２の位置との間の往復運動のために筐体に枢着された攪拌機枠；
操作されて流動化石膏製品が筐体の底部壁に隣接する支持ベースに沿って集まるのを防ぐ攪拌装置；
電気モーターおよび動力作動空気シリンダーの１つからなる、攪拌機枠を作動する動力源；および
モーターと攪拌機枠とを接続する偏心カム
からなることを特徴とする攪拌装置を備えた石膏処理装置。
２．攪拌装置が、攪拌機枠が作動するとき、支持ベースに隣接して石膏製品を攪拌するための攪拌機枠に接続した複数の攪拌部材を含む上記１の装置。
３．往復運動が揺動運動である上記１の装置。
４．攪拌装置が、攪拌機枠を装置へ枢着するための少なくとも１つの枢動可能な支持アームを含む上記１の装置。
５．少なくとも１つの枢動可能な支持アームが、１つの末端で筐体に内部で枢着され他の末端で攪拌機枠へ枢着されているケーブルであり、攪拌機枠が、作動するときピボット軸の周りを揺動する操作が可能である上記４の装置。
６．攪拌装置が、
攪拌機枠へ固定されたブラケット、および
電気モーターにより回転駆動され偏心カムを支持する剛性棒
をさらに含む上記１の装置。
７．剛性棒が偏心カムを回転させ、偏心カムはブラケットと周期的に係合して攪拌機枠を往復変位させる上記６の装置。
８．剛性棒を電気モーターへ操作可能に結合したスプロケットをさらに含む上記６の装置。
９．攪拌機枠が、方形状の断面を有する筐体に対応する上記１の装置。
１０．攪拌機枠が、円形状の断面を有する筐体に対応する上記１の装置。
１１．攪拌機枠が、石膏に基づく製品を処理する構造を有する任意の幾何学的断面の１つを有する筐体に対応する上記１の装置。
１２．処理が石膏の焼成を含む上記１の装置。
１３．装置が水噴射を利用する流動床化粧しっくい冷却器である上記１の装置。
１４．装置が冷却コイルを利用する流動床化粧しっくい冷却器である上記１の装置。
１５．装置が化粧しっくい処理後の維持装置である上記１の装置。
１６．底部壁および少なくとも１つの側壁を有し、石膏製品を受容し処理する構造を有する筐体；
流体を石膏製品へ導入し、流体が底部壁付近から頂部壁に向かって移動する流動化装置；
第１の位置と第２の位置との間の往復運動のために筐体に枢着された攪拌機枠；
流体のチャネリングおよび流動化されない石膏のデッドポケットを防ぎ石膏製品が筐体の底部壁に隣接して集まるのを防ぐ操作が可能な攪拌装置；
攪拌機枠を装置へ枢着し、１つの端で筐体に枢着し他の端で枠へ枢着し、攪拌機枠は、作動するときピボット軸の周りに揺動する操作が可能である少なくとも１つの枢動する支持アーム；
攪拌機枠を動かし、電気モーターおよび空気圧アクチュエーターの１つからなる動力源；および
モーターと攪拌機枠との間を接続する偏心カム
からなることを特徴とする攪拌機を備えた流動化石膏処理装置。
１７．攪拌装置が、攪拌機枠が作動するとき、底部壁に隣接して石膏製品を攪拌するための攪拌機枠へ接続された複数の攪拌部材を含む上記１６の装置。
１８．攪拌部材が横材からなる上記１７の装置。
１９．攪拌装置が、
攪拌機枠へ固定されたブラケット；および
電気モーターにより回転駆動され、偏心カムを支持する剛性棒
をさらに含む上記１６の装置。
２０．剛性棒が、偏心カムを回転して偏心カムがブラケットと周期的に係合し、攪拌機枠を往復変位する上記１９の装置。
２１．剛性棒を電気モーターへ操作可能に結合したスプロケットをさらに含む上記２０の装置。
２２．攪拌機枠の断面が、方形状の断面を有する筐体に対応する上記１６の装置。
２３．攪拌機枠が、円形状の断面を有する筐体に対応する上記１６の装置。
２４．攪拌機枠が、石膏に基づく製品を処理する構造を有する任意の幾何学的断面の１つを有する筐体に対応する上記１６の装置。
２５．処理が石膏を焼成することを含む上記１６の装置。
２６．装置が水噴射を利用する流動床化粧しっくい冷却器である上記１６の装置。
２７．装置が冷却コイルを利用する流動床化粧しっくい冷却器である上記１６の装置。
２８．装置が化粧しっくい処理後の維持装置である上記１６の装置。
２９．石膏材料を処理するための底部壁を有する筐体を用意する段階、
材料を供給源から装置へ移す段階、
材料を通して流体を流すことにより材料を流動化する段階、
筐体の断面とほぼ同様な形状の断面を有ししかも底部壁に隣接して第１の位置と第２の位置との間に往復運動できる攪拌装置により流動化材料を攪拌する段階、
モーターからなる動力源を用意して攪拌装置を作動する段階、および
偏心カムを用意してモーターおよび攪拌装置を接続する段階
からなることを特徴とする石膏材料を攪拌する方法。
３０．材料が筐体の底部壁に沿って凝固することを防ぐことをさらに含む上記２９の方法。
３１．攪拌段階が、
混合部材を有する攪拌機枠を流動化媒体に隣接して配置し、そして
攪拌機枠を予定された軌跡および回数に基づいて作動させる
ことをさらに含む上記２９の方法。
３２．材料のすべての停滞したポケットを除くことをさらに含む上記２９の方法。